(57)【要約】      （修正有）【課題】装着型モバイル装置の放熱構造を提供する。【解決手段】装着型モバイル装置の放熱構造１は、装着型モバイル装置本体１１及び可撓性バンド１２を具え、該装着型モバイル装置本体内の収容空間１１１に発熱源となる複数の電子素子１１２を収容し、可撓性バンド１２は、ゴム又はシリコン樹脂材質から構成され、内部に作動液を収容するチャンバ１２１を有し、該チャンバ内壁面には、突出した支持部が気化した作動液が流通可能な間隔を設けて設けられると共に、チャンバ１２１内にはウィック構造１２３を該バンドに沿って設ける。可撓性バンド１２には、装着型モバイル装置本体に収容された発熱源となる電子素子に接触してその熱を伝導する吸熱部１２２、及び吸熱部１２２両端から延伸する放熱部１２４が画定され、吸熱部の熱伝導により気化した作動液を放熱部で凝縮液化させてウィック構造により吸熱部に循環させる。【選択図】図１
0003195723.tif 000002
【実用新案登録請求の範囲】
【請求項１】
装着型モバイル装置本体及び可撓性バンドを備える装着型モバイル装置の放熱構造であって、
前記装着型モバイル装置本体は、複数の電子素子が収容される収容空間を有し、前記複数の電子素子の少なくとも１つは発熱源であり、
前記可撓性バンドは、ゴム又はシリコン樹脂材質から構成され、内部に作動液が充填されるチャンバを有し、該チャンバ内には、気化した作動液が流通する間隔を置いて突出した支持部が設けられ、前記チャンバ内壁面には該バンドに沿って少なくとも１つのウィック構造を有し、
前記可撓性バンドには、吸熱部及び該吸熱部両端から延伸して構成される少なくとも１つの放熱部が画定され、前記吸熱部は、発熱源である電子素子に接触して熱を伝導して前記チャンバ内の作動液を気化拡散させ、前記放熱部で放熱して凝縮液化して吸熱部に循環することを特徴とする装着型モバイル装置の放熱構造。
【請求項２】
前記ウィック構造は、グリッド体、繊維体、複数の金属ワイヤメッシュ体又は焼結粉末体からなることを特徴とする請求項１に記載の装着型モバイル装置の放熱構造。
【請求項３】
前記複数の電子素子は、回路基板、トランジスタ、ＣＰＵ、ＭＣＵ、ＧＰＵ、ＲＡＭ表示モニター、タッチモニター又は電池であることを特徴とする請求項１に記載の装着型モバイル装置の放熱構造。
【請求項４】
前記チャンバ内壁面は、鍍金層を有することを特徴とする請求項１に記載の装着型モバイル装置の放熱構造。
【請求項５】
前記可撓性バンドの吸熱部には、熱伝導体が嵌設され、前記熱伝導体の一方の側面は、前記複数の電子素子又は発熱源に相対向して貼設され、前記熱伝導体の他方の側面は、前記可撓性バンドのチャンバに相対向し、前記ウィック構造は、前記熱伝導体表面に設置されることを特徴とする請求項１に記載の装着型モバイル装置の放熱構造。
【請求項６】
前記可撓性バンドの吸熱部は、前記可撓性バンドの他の部位の厚さより薄く、前記吸熱部の一部は、前記熱伝導体に接触することを特徴とする請求項５に記載の装着型モバイル装置の放熱構造。
【請求項７】
前記装着型モバイル装置の放熱構造は、少なくとも１つの熱伝導ユニットをさらに備え、前記熱伝導ユニットは、ヒートパイプ、ベイパーチャンバ又はグラファイト板であり、前記熱伝導ユニットは、前記電子素子と前記可撓性バンドとの間に設けられることを特徴とする請求項１に記載の装着型モバイル装置の放熱構造。
【請求項８】
前記支持部は、平行に配列されてそれらの間に少なくとも１つの通路を有する複数の凸リブからなることを特徴とする請求項１に記載の装着型モバイル装置の放熱構造。
【請求項９】
前記支持部は、間隔をあけて配列され、それらの間に横方向及び縦方向に少なくとも１つの通路を有する複数の凸体からなることを特徴とする請求項１に記載の装着型モバイル装置の放熱構造。
【考案の詳細な説明】
【技術分野】
【０００１】
本考案は、装着型モバイル装置の放熱構造に関し、特に、装着型モバイル装置内部の放熱に応用される放熱構造に関する。
【背景技術】
【０００２】
科学技術が発展するにつれ、モバイル装置は、携帯電話、タブレットなどのみならず、腕時計型、ネックレス型、指輪型などの装着型モバイル装置も登場しており、多機能モバイル装置として使用されている。また、ユーザーからの要望に応じ、装着型モバイル装置には、タッチモニター、ＧＰＳ装置、運動機能測定装置、医療モニタリング装置などの機能を備える電子素子が加えられている。また、多機能腕時計は、Ｂｌｕｅｔｏｏｔｈ（登録商標）又はネットワークを介して他のモバイル装置と接続して使用されるほか、ＳＩＭカードを挿入して３Ｇ又は４Ｇのネットワークを使用したり、通話及び撮影を行ったりすることができる。多機能腕時計は、作動時に熱が発生するが、防塵、防水又は保護を実現するために、全体構造が密閉状態となっているため、内部の電子素子から発生する熱を外部に放出することができず、熱が腕時計又は装置内部に蓄積する。これにより、多機能腕時計で行われる作業が遅延したり、停止したり、ひどい場合は、故障したりする。このため、多機能腕時計及び装着型モバイル装置の放熱構造が求められていた。
【先行技術文献】
【特許文献】
【０００３】
【特許文献１】特開２０１４−１０２８４３号公報
【考案の概要】
【考案が解決しようとする課題】
【０００４】
本考案の目的は、装着型モバイル装置内部に熱が蓄積する問題を解決することができる装着型モバイル装置の放熱構造を提供することにある。
【課題を解決するための手段】
【０００５】
上述の課題を解決するために、本考案は、装着型モバイル装置の放熱構造を提供するものである。本考案の装着型モバイル装置の放熱構造は、装着型モバイル装置本体及び可撓性バンドを含む。装着型モバイル装置本体は、複数の電子素子が収容される収容空間を有する。複数の電子素子は、少なくとも１つの発熱源を有する。可撓性バンドは、ゴム又はシリコン樹脂材質から構成され、ウィック構造及び作動液が収容されるチャンバが形成される。チャンバ壁面には、突出した支持部が設けられる。可撓性バンドには、吸熱部及び少なくとも１つの放熱部が画定される。放熱部は、吸熱部両端から延伸して構成される。吸熱部は、電子素子又は発熱源に接触して熱を伝導する。
【考案の効果】
【０００６】
本考案の装着型モバイル装置の放熱構造は、可撓性バンド中に気化・液化した作動液体が循環するチャンバが設置されることにより、装着型モバイル装置の放熱を実現し、装置全体の放熱効率を高めることができる。
【図面の簡単な説明】
【０００７】
【図１】本考案の装着型モバイル装置の放熱構造の第１実施形態を示す分解斜視図である。
【図２】本考案の装着型モバイル装置の放熱構造の第１実施形態を示す断面図である。
【図３】図２の拡大図である。
【図４】本考案の装着型モバイル装置の放熱構造の第２実施形態を示す分解斜視図である。
【図５】本考案の装着型モバイル装置の放熱構造の第２実施形態を示す断面図である。
【図６】図５の拡大図である。
【図７】本考案の装着型モバイル装置の放熱構造の第３実施形態を示す断面図である。
【図８】本考案の装着型モバイル装置の放熱構造の第４実施形態を示す断面図である。
【図９】本考案の装着型モバイル装置の放熱構造の第５実施形態を示す分解斜視図である。
【考案を実施するための形態】
【０００８】
本考案の目的、特徴及び効果を示す実施形態を図面に沿って詳細に説明する。
【０００９】
（第１実施形態）
図１〜図３を参照する。図１は、本考案の装着型モバイル装置の放熱構造の第１実施形態を示す分解斜視図である。図２は、本考案の装着型モバイル装置の放熱構造の第１実施形態を示す断面図である。図３は、図２の拡大図である。図１〜図３に示すように、本考案の装着型モバイル装置の放熱構造１は、装着型モバイル装置本体１１及び可撓性バンド１２を含む。
【００１０】
装着型モバイル装置本体１１は、複数の電子素子１１２が収容される収容空間１１１を有する。複数の電子素子１１２は、少なくとも１つの発熱源１１２１を有する。
【００１１】
可撓性バンド１２は、ゴム又はシリコン樹脂材質から構成され、チャンバ１２１を有する。チャンバ１２１壁面には、突出した支持部１２１ａが設けられる。チャンバ１２１内には、少なくとも１つのウィック構造１２３及び作動液２が収容される。
【００１２】
支持部１２１ａは、複数の凸リブ（連続（帯状）又は非連続）１２１１を有する。複数の凸リブ１２１１は、平行に配列され、凸リブ１２１１間は、少なくとも１つの通路１２１２を有する。複数の通路１２１２は、蒸発気化した作動液２の通路として使用する。
【００１３】
可撓性バンド１２には、吸熱部１２２及び放熱部１２４が画定される。放熱部１２４は、吸熱部１２２の少なくとも一方の端部から延伸して構成される。
【００１４】
可撓性バンド１２の吸熱部１２２は、装着型モバイル装置本体１１の複数の電子素子１１２が収容される収容空間１１１中に設置され、電子素子１１２又は発熱源１１２１に接触する。
【００１５】
本実施形態中の複数の電子素子１１２は、回路基板、トランジスタ、ＣＰＵ、ＭＣＵ、表示モニター、タッチモニター又は電池である。電子素子１１２は、吸熱部１２２部分に貼設又は設置される。本実施形態中、吸熱部１２２は、可撓性バンド１２の中央部分付近に設置され、上下側に装着型モバイル装置本体１１に収容された複数の電子素子１１２が位置する（図２参照）。
【００１６】
可撓性バンド１２の吸熱部１２２は、可撓性バンド１２の他の部位の厚さより薄い。吸熱部１２２が複数の電子素子１１２又は発熱源１１２１に直接接触して熱を伝導することにより、熱を可撓性バンド１２に直接伝導し、可撓性バンド１２のチャンバ１２１内部の作動液２を加熱して蒸発拡散させる。また、作動液２は、可撓性バンド１２の放熱部１２４部分のチャンバ１２１内で凝結され、ウィック構造１２３によって吸熱部１２２周囲に回流し、気化液化による循環が繰り返されて放熱効果が実現される。
【００１７】
（第２実施形態）
図４〜図６を参照する。図４は、本考案の装着型モバイル装置の放熱構造の第２実施形態を示す分解斜視図である。図５は、本考案の装着型モバイル装置の放熱構造の第２実施形態を示す断面図である。図６は、図５の拡大図である。図４〜図６に示すように、本考案の第２実施形態の一部構造は、第１実施形態と同一であるから、同一部分は、ここでは再び説明しない。第２実施形態においては、吸熱部１２２に熱伝導体１２２ａが嵌設される。熱伝導体１２２ａの一方の側面は、複数の電子素子１１２又は発熱源１１２１に相対向して貼設される。熱伝導体１２２ａの他方の側面は、可撓性バンド１２のチャンバ１２１に相対向する。また、ウィック構造１２３の一部は、熱伝導体１２２ａ周囲まで延設される。
【００１８】
本実施形態中の熱伝導体１２２ａは、銅板、アルミ板、金属板、ヒートパイプ、ベイパーチャンバ又はグラファイトである。本実施形態においては、銅板を例示して説明するが、これのみに限定されない。
【００１９】
本実施形態中、装着型モバイル装置本体１１内の各電子素子１１２の発熱源１１２１から発生する熱は、吸熱部１２２に設置された熱伝導体１２２ａによってさらに吸収されてチャンバ１２１内に伝導され、吸熱部１２２のチャンバ１２１内部の作動液２が熱を受けて気化拡散する。また、気化した作動液２は、放熱部１２４のチャンバ１２１内で凝結される。その後、ウィック構造１２３によって吸熱部１２２周囲に回流し、気化液化による循環が再び行われる。この気化液化循環により、複数の電子素子１１２に対する放熱効果が実現される。
【００２０】
（第３実施形態）
図７を参照する。図７は、本考案の装着型モバイル装置の放熱構造の第３実施形態を示す断面図である。図７に示すように、本考案の第３実施形態の一部構造は、第２実施形態と同一であるから、同一部分は、ここでは再び説明しない。第３実施形態においては、可撓性バンド１２のチャンバ１２１内に鍍金層３をさらに有する。鍍金層３は、チャンバ１２１の表面に設けられる。鍍金層３は、作動液２（図５参照）の凝結効率及び収集効率を高める効果を有する。
【００２１】
（第４実施形態）
図８を参照する。図８は、本考案の装着型モバイル装置の放熱構造の第４実施形態を示す断面図である。図８に示すように、本考案の第４実施形態の一部構造は、第１実施形態と同一であるから、同一部分は、ここでは再び説明しない。第４実施形態においては、少なくとも１つの熱伝導ユニット４をさらに有する。熱伝導ユニット４は、ヒートパイプ、ベイパーチャンバ又はグラファイト板である。熱伝導ユニット４は、電子素子１１２と可撓性バンド１２との間に設けられる。熱伝導ユニット４により、複数の電子素子１１２の熱が大面積で吸収された後、可撓性バンド１２の吸熱部１２２に熱伝導される。吸熱部１２２が受けた熱は、遠端の放熱部１２４に伝導されて放熱が行われる（図５参照）。
【００２２】
（第５実施形態）
図９を参照する。図９は、本考案の装着型モバイル装置の放熱構造の第５実施形態を示す分解斜視図である。図９に示すように、本考案の第５実施形態の一部構造は、第１実施形態と同一であるから、同一部分は、ここでは再び説明しない。第５実施形態においては、支持部１２１ａが複数の凸体１２１３を有する。複数の凸体１２１３は、間隔をあけて配列される。複数の凸体１２１３間は、横方向及び縦方向に少なくとも１つの通路１２１２を有する。通路１２１２は、蒸発して蒸気となった作動液２（図５参照）の通路として使用される。
【００２３】
ウィック構造１２１は、グリッド体、繊維体、複数の金属ワイヤメッシュ体又は焼結粉末である。本実施形態中においては、グリッド体を例示して説明するが、これのみに限定されない。
【符号の説明】
【００２４】
１  装着型モバイル装置の放熱構造
１１  装着型モバイル装置本体
１１１  収容空間
１１２  電子素子
１１２１  発熱源
１２  可撓性バンド
１２１  チャンバ
１２１ａ  支持部
１２１１  凸リブ
１２１２  通路
１２１３  凸体
１２２  吸熱部
１２２ａ  熱伝導体
１２３  ウィック構造
１２４  放熱部
２  作動液
３  鍍金層
４  熱伝導ユニット
【図１】
0003195723.tif 000003
【図２】
0003195723.tif 000004
【図３】
0003195723.tif 000005
【図４】
0003195723.tif 000006
【図５】
0003195723.tif 000007
【図６】
0003195723.tif 000008
【図７】
0003195723.tif 000009
【図８】
0003195723.tif 000010
【図９】
0003195723.tif 000011